(57)【要約】【課題】タッチパネル付き表示装置の引出し・収納操作が簡便であり、複雑なストッパ機構を設けることなく、表示装置を所定位置で係止できるタッチパネル付き表示装置を装着した操作卓及びタッチパネル用ブラケットを提供する。【解決手段】操作卓１０の操作台１０ａの前方に立ち上がる前壁１０ｂに装着されたタッチパネル付き表示装置１４の背面部に取り付けられているパンタグラフ機構１２を含むタッチパネル用ブラケットであって、パンタグラフ機構１２が取着部材と、取着部材が設けられた可動板枠と、操作卓１０の装置本体側に固定する固定板枠と、略中央を軸棒により支承してＸ字状に組み立てられた一対のリンク部材とからなり、一対のリンク部材の一端がそれぞれ可動板枠と固定板枠との上端部に軸棒により支承され、一対のリンク部材のそれぞれの他端に摺動軸が設けられ、一対の摺動軸が可動板枠と固定板枠との両側下端部に設けた摺動溝にそれぞれ嵌合して摺動可能とした。【選択図】図１
2008090417.tif 000002
【特許請求の範囲】
【請求項１】
操作卓の操作台の前方に立ち上がる前壁に装着されたタッチパネル付き表示装置の背面部に取り付けられているパンタグラフ機構を含むタッチパネル用ブラケットであって、
該パンタグラフ機構が、取着部材と、前記取着部材が設けられた可動板枠と、前記操作卓の装置本体側に固定する固定板枠と、略中央を軸棒により支承してＸ字状に組み立てられた一対のリンク部材とからなり、
前記一対のリンク部材の一端がそれぞれ前記可動板枠と前記固定板枠との上端部に軸棒により軸支され、前記一対のリンク部材のそれぞれの他端に摺動軸が設けられ、該一対の摺動軸が該可動板枠と該固定板枠との両側下端部に設けた摺動溝にそれぞれ嵌合して摺動可能としたことを特徴とするタッチパネル用ブラケット。
【請求項２】
前記取着部材が、タッチパネル付き表示装置とパネル取り付け枠とが取着される誘導部材と、該誘導部材を装着する係止部材とからなり、該係止部材が前記可動板枠に取着されていることを特徴とする請求項１に記載のタッチパネル用ブラケット。
【請求項３】
前記可動板枠と前記固定板枠との側壁部に磁石と金属片部材とがそれぞれ取り付けられ、該磁石と該金属片部材とが接触することにより金属音を発生するようにしたことを特徴とする請求項１又は２に記載のタッチパネル用ブラケット。
【請求項４】
前記固定板枠の両側下端部に設けた前記摺動溝の上部に前記摺動軸が係合する円弧状切欠部を設けたことを特徴とする請求項１，２又は３に記載のタッチパネル用ブラケット。
【請求項５】
請求項１〜４の何れか１項に記載のタッチパネル用ブラケットが、操作卓の操作台の前方端から立ち上がる前壁の内側に設けた収納枠の奥壁部に前記固定板枠が固定されて収納され、把持部が両側に設けられたパネル取り付け枠と前記タッチパネル付き表示装置とを前記取着部に固定したことを特徴とする操作卓。
【発明の詳細な説明】
【技術分野】
【０００１】
本発明は、番組制作等に使用される副調整室などに設置される、タッチパネル付き表示装置を装着した操作卓及びその操作卓に組み込まれるタッチパネル用ブラケットに関する。
【背景技術】
【０００２】
従来の操作卓には図８に示したものがあり、この操作卓は装置本体１の手前側に操作台１ａが略水平又は多少手前に傾斜させて設けられ、操作台１ａの奥には前壁１ｂが設けられ、前壁１ｂにはＣＲＴの表示装置２が装着されている。この操作卓では装置本体１に前後に移動可能な可動枠体４が設けられた固定枠体３が取り付けられ、可動枠体４には表示装置２が設置されており、可動枠体４を摺動させて表示装置２を引き出したり、或いは装置本体１後方に押し出したりすることが可能である。固定枠体３にはストッパ５が取り付けられ、固定枠体３の後部には、ストッパ５の係合・解錠操作可能な操作レバー６が取り付けられている。ＣＲＴによる表示装置２では表示画面からの光が操作台１の操作面で反射して操作台１ａが見難くなったりすることがあり、表示装置２の表示画面を後方に移動させることによって、操作面での反射を防止したり、操作者の眼の疲労を解消とするようになされている（例えば、特許文献１参照）。
【０００３】
【特許文献１】特開平７−２１９６７７号公報（明細書全文，図面全図）
【発明の開示】
【発明が解決しようとする課題】
【０００４】
上記従来の操作卓は、ＣＲＴによる表示装置の表示面を後方に移動させることにより操作面の反射や操作者の眼の疲労を解消しようとするものであるが、表示装置にはタッチパネルを装着して使用する場合があり、表示装置を操作卓の前壁から後方に移動させると、タッチパネルの操作面も後方に移動し、操作者によるタッチパネルの操作が困難になり好ましいものではないし、また、表示装置を固定するストッパ機構の係止及び解除機構が操作卓の背後に設けられており、ストッパ機構の係止又は解除操作を行うのが煩わしいといった欠点があった。
【０００５】
そこで、タッチパネルを装着した表示装置を装着する操作卓では、上記のような問題点を改善すべく、操作卓の表示装置として液晶ディスプレイを利用したものがある。液晶ディスプレイでは、操作台の操作面の反射を防止することができるし、タッチパネルの操作が容易となるようにしたものがある。図９の操作卓は、操作卓の前壁部分に設けられたパネル枠８の内側に取り付け枠８ａが固定され、表示装置７の背面側がブラケット９の前面部に取り付けられ、ブラケット９の後部に取り付けられた固定部９ａを取り付け枠８ａに固定することによって、操作卓に表示装置７が装着されている。表示装置７は、液晶ディスプレイをタッチパネル付き表示装置として利用し、タッチパネルの操作面を操作卓の前壁から操作者手前に突出させて、操作者が手を伸ばしてタッチパネルを容易の操作し得るようにしたものである。
【０００６】
しかし、図９の操作卓では前壁部から表示装置が常時突出しているために、操作台のパネルに設けられたスイッチ等の操作の邪魔になることがあるし、表示装置の隣接部の視界を妨げるおそれもあり、監視用操作卓としては改善の余地があった。また、タッチパネルによる操作が完了した後は、表示装置を装置本体の前壁内に収納可能な操作卓であることが外観上も望ましい。
【０００７】
本発明は、上記のような問題点に鑑みなされたものであって、タッチパネル付き表示装置の引き出し・収納操作が簡便であり、複雑なストッパ機構を設けることなく、表示装置を所定位置で係止することができるタッチパネル付き表示装置を装着した操作卓及びその操作卓に組み込まれるタッチパネル用ブラケットを提供することを目的とする。
【課題を解決するための手段】
【０００８】
本発明は、上述した課題を解決したものであり、請求項１の発明は、操作卓の操作台の前方に立ち上がる前壁に装着されたタッチパネル付き表示装置の背面部に取り付けられているパンタグラフ機構を含むタッチパネル用ブラケットであって、
該パンタグラフ機構が、取着部材と、前記取着部材が設けられた可動板枠と、前記操作卓の装置本体側に固定する固定板枠と、略中央を軸棒により支承してＸ字状に組み立てられた一対のリンク部材とからなり、
該一対のリンク部材の一端がそれぞれ前記可動板枠と前記固定板枠との上端部に軸棒により軸支され、前記一対のリンク部材のそれぞれの他端に摺動軸が設けられ、該一対の摺動軸が該可動板枠と該固定板枠との両側下端部に設けた摺動溝にそれぞれ嵌合して摺動可能としたことを特徴とするタッチパネル用ブラケットである。
【０００９】
また、請求項２の発明は、前記取着部材が、タッチパネル付き表示装置とパネル取り付け枠とが取着される誘導部材と、該誘導部材を装着する係止部材とからなり、該係止部材が前記可動板枠に取着されていることを特徴とする請求項１に記載のタッチパネル用ブラケットである。
【００１０】
また、請求項３の発明は、前記可動板枠と前記固定板枠との側壁部に磁石と金属片部材とがそれぞれ取り付けられ、該磁石と該金属片部材とが接触することにより金属音を発生するようにしたことを特徴とする請求項１又は２に記載のタッチパネル用ブラケットである。
【００１１】
また、請求項４の発明は、前記固定板枠の両側下端部に設けた前記摺動溝の上部に前記摺動軸が係合する円弧状切欠部を設けたことを特徴とする請求項１，２又は３に記載のタッチパネル用ブラケットである。
【００１２】
また、請求項５の発明は、請求項１〜４の何れか１項に記載のタッチパネル用ブラケットが、操作卓の操作台の前方端から立ち上がる前壁の内側に設けた収納枠の奥壁部に前記固定板枠が固定されて収納され、把持部が両側に設けられたパネル取り付け枠と前記タッチパネル付き表示装置とを前記取着部に固定したことを特徴とする操作卓である。
【発明の効果】
【００１３】
請求項１の発明では、操作卓の操作台の前方に立ち上がる前壁に装着されたタッチパネル付き表示装置の背面部に取り付けられているパンタグラフ機構を含むタッチパネル用ブラケットであって、
該パンタグラフ機構が、取着部材と、前記取着部材が設けられた可動板枠と、前記操作卓の装置本体側に固定する固定板枠と、略中央を軸棒により支承してＸ字状に組み立てられた一対のリンク部材とからなり、
該一対のリンク部材の一端がそれぞれ前記可動板枠と前記固定板枠との上端部に軸棒により軸支され、前記一対のリンク部材のそれぞれの他端に摺動軸が設けられ、該一対の摺動軸が該可動板枠と該固定板枠との両側下端部に設けた摺動溝にそれぞれ嵌合して摺動可能としたことを特徴とするタッチパネル用ブラケットであるので、Ｘ字状に組み立てられた一対のリンク部材によるパンタグラフ機構の閉止・拡開によりタッチパネル付き表示装置を前壁より前方に引き出したり、或いは表示装置を前壁内に収納することが可能であり、リンク部材の他端に設けた摺動軸が摺動溝に嵌合して摺動する際の摩擦力によって、タッチパネルを指でタッチして操作する際の押圧力では簡単に表示装置が後退することがなく、安定しており、操作がし易い利点がある。
【００１４】
また、請求項２の発明では、前記取着部材が、タッチパネル付き表示装置とパネル取り付け枠とが取着される誘導部材と、該誘導部材を装着する係止部材とからなり、該係止部材が前記可動板枠に取着されていることを特徴とする請求項１に記載のタッチパネル用ブラケットであるので、誘導部材にタッチパネル付き表示装置とパネル取り付け枠とが共締めなどによって取着された後、前壁から突出する係止部材に誘導部材を嵌合させて固定すれば、操作卓の前側からタッチパネル付き表示装置の取着作業を行うことができ、従来のように背面側から取着作業を行う必要がなく、作業性が良好である利点がある。
【００１５】
また、請求項３の発明では、前記可動板枠と前記固定板枠との側壁部に磁石と金属片部材とがそれぞれ取り付けられ、該磁石と該金属片部材とが接触することにより金属音を発生するようにしたことを特徴とする請求項１又は２に記載のタッチパネル用ブラケットであるので、タッチパネル付き表示装置を押し込んだ際に磁石と金属片部材との接触による接触音が発生し、タッチパネル付き表示装置の引き出しや収納の際の操作感が良好となる利点があり、また、可動板枠と固定板枠とを閉じた状態で磁石と金属片部材とが磁力で引き合って、僅かな振動や接触等によって、タッチパネル付き表示装置が前方に移動するといった不具合を防止することができる。
【００１６】
また、請求項４の発明では、前記固定板枠の両側下端部に設けた前記摺動溝の上部に前記摺動軸が係合する円弧状切欠部を設けたことを特徴とする請求項１，２又は３に記載のタッチパネル用ブラケットであるので、タッチパネル付き表示装置を完全に引き出した状態で、固定板枠の摺動溝の上部に設けられた円弧状切欠部に摺動軸が係合してタッチパネルを指で強く押した程度では簡単に後退することがなく安定したタッチ操作が可能である。
【００１７】
また、請求項５の発明では、請求項１〜４の何れか１項に記載のタッチパネル用ブラケットが、操作卓の操作台の前方端から立ち上がる前壁の内側に設けた収納枠の奥壁部に前記固定板枠が固定されて収納され、把持部が両側に設けられたパネル取り付け枠と前記タッチパネル付き表示装置とを前記取着部に固定したことを特徴とする操作卓であるので、タッチパネル付き表示装置を操作卓の前面側から取着作業が可能であり、作業性が良好であるとともに、把持部を握ってタッチパネル付き表示装置を引き出したり、収納したりすることが可能であり、表示装置を特別な操作をすることなく固定することができるし、安定したタッチ操作ができる利点があり、タッチパネル付き表示装置が操作者の手前に引き出され、タッチパネルの操作が良好なものとなる。また、タッチパネル付き表示装置を使用しない時は操作卓の前壁内に収納することによって、操作卓としての外観上も好ましいものである。
【発明を実施するための最良の形態】
【００１８】
以下、本発明に係るタッチパネルを装着した操作卓及びタッチパネル用ブラケットの実施形態について図面を参照し説明する。なお、図１はタッチパネル付き表示装置を操作卓に装着した一実施形態を示す要部外観斜視図であり、図２はその背面側の要部斜視図であり、図３はタッチパネル付き表示装置を外した状態の操作卓の要部斜視図である。図４（ａ），（ｂ）は本実施形態のタッチパネル用ブラケットの組み込み状態を示す概略組立図であり、図５（ａ），（ｂ）はタッチパネル付き表示装置の使用状態と収納状態を示す側面図である。図６（ａ）〜（ｄ）は本実施形態のタッチパネル用ブラケットの概略図であり、図７はそのタッチパネル用ブラケットの詳細側面図である。
【００１９】
本実施形態について、図１〜図３を参照して説明する。図１は本実施形態の操作卓を示し、操作卓１０にはタッチパネル付き表示装置１４が装着されており、タッチパネル付き表示装置１４が操作者側手前に引き出された状態を示し、操作者がタッチパネルのタッチ操作が容易な状態を示している。操作卓１０は操作台１０ａと操作台１０ａの前方端から立ち上がる前壁１０ｂとから構成され、操作台１０ａには複数のスイッチ等による操作部が設けられ、前壁１０ｂにはタッチパネル付き表示装置１４等が装着されている。前壁１０ｂには、タッチパネル付き表示装置１４の装着部を画成するフレーム１０ｃが設けられ、図２に示すように、フレーム１０ｃには収納枠１１が前壁内側に取り付けられて固定され、収納枠１１内にパンタグラフ機構１２がネジによって固定されている。なお、タッチパネル付き表示装置１４は、例えば液晶ディスプレイ等の前面にタッチパネルを設けたものである。
【００２０】
パンタグラフ機構１２の前面部には、パネル取り付け枠１３とタッチパネル付き表示装置１４とが取着されている。パネル取り付け枠１３には、図３に示すように、タッチパネル付き表示装置１４を填め込むための凹嵌部１３ｂが設けられ、タッチパネル付き表示装置１４がパネル取り付け枠１３の凹嵌部１３ｂに嵌め込められてパンタグラフ機構１２の取り付け面（取着部）に固定されている。パネル取り付け枠１３の両側部には把持部材１３ａが取り付けられ、把持部材１３ａはタッチパネル付き表示装置１４を引き出したり、押し込んで収納する際に使用される。また、パネル取り付け枠１３には、図３に示すように、タッチパネル付き表示装置１４の電源や通信ケーブル等が挿通される開口部１３ｃが設けられている。
【００２１】
次に、本実施形態のパンタグラフ機構について、図４（ａ），（ｂ）、図５（ａ），（ｂ）、図６（ａ）〜（ｄ）を参照して説明する。パンタグラフ機構１２は、タッチパネル付き表示装置１４を操作卓に装着するための支持部材であり、パンタグラフ機構１２の背面側が収納枠１１内の奥壁部１１ａにネジにより取着され、パンタグラフ機構１２の前面側にはパネル取り付け枠１３とタッチパネル付き表示装置１４とが取着される。
【００２２】
パンタグラフ機構１２は、パネル取り付け枠１３とタッチパネル付き表示装置１４とが共締めされる誘導部材１２ａと誘導部材１２ａが嵌合する係止部材１２ｂとからなる取着部材と、収納枠１１内の奥壁部１１ａに取着される固定板枠１２ｃと、係止部材１２ｂが取着された可動板枠１２ｄと、可動板枠１２ｄと固定板枠１２ｃとを連結するＸ字状に組み立てられた一対のリンク部材１２ｆとからなる。また、固定ネジ１２ｅは誘導部材１２ａを係止部材１２ｂに嵌合させて誘導部材１２ａと係止部材１２ｂとを固定する部材である。
【００２３】
図５（ａ）はパンタグラフ機構１２を閉じた状態を示し、可動板枠１２ｄと固定板枠１２ｃとが重なって閉止した状態であり、図５（ｂ）はパンタグラフ機構１２が開いた状態であり、一対のリンク部材１２ｆがＸ字状に開拡している。パンタグラフ機構１２を閉止した状態では、タッチパネル付き表示装置１４とパネル取り付け枠１３とが操作卓の前壁内に収まり、パンタグラフ機構１２が拡開することによって、タッチパネル付き表示装置１４とパネル取り付け枠１３とが操作卓の前壁前方に突出してタッチパネルの操作が容易となる。
【００２４】
次に、パンタグラフ機構１２の詳細について、図６及び図７を参照して説明する。図６（ａ）はパンタグラフ機構１２の側面図であり、一対のリンク部材１２ｆが可動板枠１２ｄと固定板枠１２ｃとの内側に収納され、可動板枠１２ｄには取着部材である誘導部材１２ａと係止部材１２ｂが設けられ、誘導部材１２ａと係止部材１２ｂとは固定ネジ１２ｅにより固定されている。図６（ｂ）はその正面図であり、ネジでパネル取り付け枠とタッチパネル付き表示装置を固定するネジ孔１２ｋが設けられ、図６（ｃ）はその背面図であり、パンタグラフ機構１２を収納枠に固定するためのネジ孔が設けられている。また、図６（ｄ）はパンタグラフ機構１２を開いた状態を示し、パンタグラフ機構１２は図６（ａ）の閉じた状態と、図６（ｄ）の開いた状態とで安定する。
【００２５】
続いて、図７を参照しパンタグラフ機構１２について説明する。なお、図７はパンタグラフ機構１２の開閉状態が示されており、パンタグラフ機構１２の前面部には誘導部材１２ａが設けられ、誘導部材１２ａにはパネル取り付け枠とタッチパネル付き表示装置が共締めされて取着され、この誘導部材１２ａは、矢印Ａのように係止部材１２ｂに挿抜することができるし、誘導部材１２ａを係止部材１２ｂに嵌合させて固定ネジ１２ｅにより固定することができる。固定板枠１２ｃと可動板枠１２ｄとは一対のリンク部材１２ｆで接続されている。リンク部材１２ｆは断面コ字状部材である。
【００２６】
リンク部材１２ｆは一対からなり、一対のリンク部材１２ｆの略中央を軸棒１５ａにより支承してＸ字状に組み立てられ、一対のリンク部材１２ｆのそれぞれの一端に摺動軸１２ｇが設けられ、一方のリンク部材１２ｆの上端部が固定板枠１２ｃの上部に軸棒１５ｂに軸支され、他方のリンク部材１２ｆの上端部が可動板枠１２ｄの上部に軸棒１５ｃに軸支され、リンク部材１２ｆの一方の摺動軸１２ｇが固定板枠１２ｃの下部に設けた摺動溝１２ｈに摺動可能に挿通され、リンク部材１２ｆの他方の摺動軸１２ｇが可動板枠１２ｄの下部に設けた摺動溝１２ｈに摺動可能に挿通されている。パンタグラフ機構１２は、固定板枠１２ｃと可動板枠１２ｄとに引っ張りと押圧力が加わることによって、軸棒１５ａを支点とする一対のリンク部材１２ｆのＸ字連動動作によって、矢印Ｂで示した距離を平行に開閉させることができる。摺動軸１２ｇと軸棒１５ｃ，１５ｂは、断面コ字状部材のリンク部材１２ｆと固定板枠１２ｃ或いは可動板枠１２ｄとに挿通されてリンク部材１２ｆが軸支されている。
【００２７】
また、固定板枠１２ｃの側壁中央部には金属片部材１２ｉが設けられ、可動板枠１２ｄの側壁中央部には磁石１２ｊが設けられ、パンタグラフ機構１２の開閉動作の際に金属片部材１２ｉと磁石１２ｊとが当接して金属音を発生して良好な装着感を与えることができるし、また、パンタグラフ機構１２を開く際には磁石の吸着作用により、適度な重みが与えられ脱抜感が良好である。
【００２８】
また、摺動溝１２ｈの上端には、摺動溝１２ｈの縦方向中心線より僅かに後方に摺動溝１２ｈを切り欠いた円弧状係止部１６が設けられ、パンタグラフ機構１２を開くと摺動軸１２ｇが摺動溝１２ｈを上端部へと摺動し円弧状係止部１６に嵌合して安定する。摺動軸１２ｇが円弧状係止部１６に嵌合した状態では、タッチパネル付き表示装置を指でタッチパネルを指で操作してもタッチ面が簡単に後退することがない利点がある。なお、パンタグラフ機構１２を閉じる際は、摺動軸１２ｇを円弧状係止部１６から多少持ち上げるようにして円弧状係止部１６から外して可動板枠１２ｄを押し込むことによって、摺動軸１２ｇが摺動溝１２ｈを下端部へと摺動し閉じられる。
【００２９】
上述のように、本実施形態は、番組制作等に使用される副調整室に設置される操作卓に関し、タッチパネル付き表示装置をタッチパネル用ブラケットに取着して装着された操作卓、及びこの操作卓に使用されるタッチパネル用ブラケットに関し、操作卓を使用する場合、パネル取り付け枠の両側に取り付けられた把持部を握って、パネル取り付け枠を引き出すことにより、タッチパネル付き表示装置が操作者の手前に引き出され、表示画面が見易くなるとともに指によるタッチパネルのタッチ操作が容易となる。
【００３０】
また、タッチパネル用ブラケットは、そのパンタグラフ機構が操作卓の前壁内面に設けられた収納枠内に装着され、タッチパネル付き表示装置はパネル取り付け枠とともにパンタグラフ機構に取着されている。タッチパネル付き表示装置は、タッチパネル付き表示装置とパネル取り付け枠とを、パンタグラフ機構の誘導部材に共締めして取着し、その後、この誘導部材を、収納枠内に装着したパンタグラフ機構の係止部材に嵌合装着して固定ネジで誘導部材と係止部材とを係止して装着する。このように、本実施形態のタッチパネル用ブラケットでは、タッチパネル付き表示装置の装着が操作卓の背面から取り付け作業を行うことなく、操作卓の前面から組立作業を極めて簡単に行うことができ、作業性が良好となる。
【００３１】
また、タッチパネル用ブラケットは、そのパンタグラフ機構が、可動板枠と、固定板枠と、可動板枠と固定板枠とを接続する、略中央を軸棒により支承してＸ字状に組み立てられた一対のリンク部材とからなり、可動板枠に係止部材が設けられ、誘導部材が係止部材に嵌合装着されて固定され、固定板枠が収納枠内にネジ止めされて固定され、可動板枠が引き出されると、一対のリンク部材の他端部に設けた摺動軸が可動板枠と固定板枠とのそれぞれの側壁部に設けた摺動溝に沿って上方に摺動し、また、可動板枠を押圧すると摺動軸が摺動溝に沿って下方に摺動することによって、可動板枠と固定板枠とが平行に移動するように組み立てられ、タッチパネル付き表示装置を操作卓に設けたパンタグラフ機構に装着し、タッチパネル付き表示装置を前後に平行に移動させることができる。
【００３２】
また、タッチパネル用ブラケットは、タッチパネル付き表示装置の引き出し・収納操作が簡便であり、タッチパネル付き表示装置を引き出すと、摺動軸が摺動溝の上部に設けた円弧状係止部に嵌合し、円弧状係止部は摺動溝の縦方向中心線より僅かに後方に位置し、摺動軸が円弧状係止部に嵌合して安定し、複雑なストッパ機構を設けることなく、タッチパネル付き表示装置を所定位置で係止することができる。
【産業上の利用可能性】
【００３３】
本発明の活用例としては、操作卓にタッチパネル付き表示装置を装着するタッチパネル用ブラケットとして利用することができるし、タッチパネル付き表示装置を装着した操作卓として利用することができる。
【図面の簡単な説明】
【００３４】
【図１】図１はタッチパネル付き表示装置を操作卓に装着した一実施形態を示す外観要部斜視図である。
【図２】本実施形態の背面側の要部斜視図である。
【図３】本実施形態のタッチパネル付き表示装置を外した状態を示す操作卓の要部斜視図である。
【図４】（ａ）は本実施形態における操作卓に装着されたタッチパネル用ブラケットの概略側面図であり、（ｂ）はその背面図である。
【図５】（ａ）は本実施形態における操作卓に装着されたタッチパネル用ブラケットの概略側面図であり、（ｂ）はタッチパネル用ブラケットを拡開した状態を示す概略側面図である。
【図６】（ａ）は本実施形態のタッチパネル用ブラケットの概略側面図であり、（ｂ）はその前面図であり、（ｃ）はその背面図であり、（ｄ）はタッチパネル用ブラケットを拡開した状態を示す概略側面図である。
【図７】本実施形態のタッチパネル用ブラケットの側面図である。
【図８】従来の操作卓の概略側面図である。
【図９】（ａ）は従来の操作卓の表示部の概略正面図であり、（ｂ）はその側面図である。
【符号の説明】
【００３５】
１０  操作卓
１０ａ  操作台
１０ｂ  前壁
１０ｃ  フレーム
１１  収納枠
１２  パンタグラフ機構
１２ａ  誘導部材
１２ｂ  係止部材
１２ｃ  固定板枠
１２ｄ  可動板枠
１２ｅ  固定ネジ
１２ｆ  リンク部材
１２ｇ  摺動軸
１２ｈ  摺動溝
１２ｉ  金属片部材
１２ｊ  磁石
１３  パネル取り付け枠
１３ａ  把持部材
１３ｂ  凹嵌部
１３ｃ  開口部
１４  タッチパネル付き表示装置
【図１】
2008090417.tif 000003
【図２】
2008090417.tif 000004
【図３】
2008090417.tif 000005
【図４】
2008090417.tif 000006
【図５】
2008090417.tif 000007
【図６】
2008090417.tif 000008
【図７】
2008090417.tif 000009
【図８】
2008090417.tif 000010
【図９】
2008090417.tif 000011